(57)【要約】【課題】移動体端末から送信される現在位置情報に応じて広告情報を配信するにあたり、広告の提供を受ける者に個別に対応した広告を提供すること。【解決手段】広告主の端末Ｂ、及び、現在位置情報を送信可能な車載端末Ｃ、と情報通信するサーバＡを用いる。サーバＡにおいて、車載端末Ｃから現在位置情報と共にその車載端末Ｃを特定する端末ＩＤを受信した場合に、広告主の広告情報を蓄積した広告情報データベースから、受信した現在位置情報に基づいて、広告情報を選択して車載端末Ｃに送信する。広告情報の選択は、端末ＩＤに応じて行う。【選択図】  図８
2005033464.tif 000002
【特許請求の範囲】
【請求項１】
移動体端末から当該移動体端末の識別情報と当該移動体端末の現在位置情報とを受信する一方、当該移動体端末に対して広告情報を送信する通信手段と、
前記広告情報を蓄積した広告情報データベースから、前記現在位置情報に基づいて前記移動体端末に対して送信する前記広告情報を選択する選択手段と、を備え、
前記選択手段は、前記識別情報に応じて、前記広告情報を選択することを特徴とする広告情報処理装置。
【請求項２】
前記広告情報データベースは、前記広告情報を、広告主が設定した前記識別情報と対応付けて蓄積するものであり、
前記選択手段は、少なくとも、前記移動体端末から受信した前記識別情報に対応づけられた前記広告情報を選択することを特徴とする請求項１に記載の広告情報処理装置。
【請求項３】
前記選択手段は、前記移動体端末から受信した前記識別情報が対応づけられていない前記広告情報を選択しないことを特徴とする請求項２に記載の広告情報処理装置。
【請求項４】
前記通信手段は、前記広告情報の広告主の端末と通信可能であり、
前記広告主の端末から前記識別情報の設定要求を受信した場合に、指定された前記識別情報に基づいて前記広告情報データベースを更新する更新手段を更に備えたことを特徴とする請求項２又は３に記載の広告情報処理装置。
【請求項５】
前記広告情報データベースは、前記広告情報を、その広告の対象の種類と対応付けて蓄積するものであり、
前記選択手段は、
前記識別情報を、当該識別情報が付された前記移動体端末のユーザの嗜好を示す嗜好情報と対応付けて蓄積した移動体端末データベースから、前記移動体端末から受信した前記識別情報と対応付けられた前記嗜好情報を取得し、取得した前記嗜好情報と前記広告の対象の種類と、に基づいて前記広告情報を選択することを特徴とする請求項１乃至３のいずれかに記載の広告情報処理装置。
【請求項６】
前記通信手段は、前記広告情報の広告主の端末と通信可能であり、
前記広告主の端末から前記広告情報の登録要求を受信した場合に、指定された前記広告の対象の種類と前記広告情報とを対応付けて前記広告情報データベースに蓄積する登録手段を更に備えたことを特徴とする請求項５に記載の広告情報処理装置。
【請求項７】
前記移動体端末から、広告の対象の種類が指定された前記広告情報の取得要求を前記通信手段が受信した場合、
前記選択手段は、前記広告情報データベースから、指定された種類の前記広告情報を選択し、
前記通信手段は、前記選択手段により選択された前記広告情報を前記移動体端末に送信することを特徴とする請求項５に記載の広告情報処理装置。
【請求項８】
前記移動体端末に送信した前記広告情報と同じ広告主の別の前記広告情報の取得要求を前記通信手段が受信した場合、
前記選択手段は、前記広告情報データベースから、前記広告主の別の前記広告情報を選択し、
前記通信手段は、前記選択手段により選択された別の前記広告情報を前記移動体端末に送信することを特徴とする請求項１乃至６のいずれかに記載の広告情報処理装置。
【請求項９】
前記通信手段は、前記現在位置情報に基づき選択された地図情報と共に前記広告情報を送信することを特徴とする請求項１乃至６のいずれかに記載の広告情報処理装置。
【請求項１０】
移動体端末から当該移動体端末の識別情報と当該移動体端末の現在位置情報とを受信する一方、当該移動体端末に対して広告情報を送信する通信手段と、
前記広告情報を蓄積した広告情報データベースから、前記現在位置情報に基づいて前記移動体端末に対して送信する前記広告情報を選択する選択手段と、を備え、
前記広告情報データベースは、前記広告情報を、広告主が設定した前記識別情報と対応付けて蓄積するものであり、
前記通信手段は、前記広告情報と当該広告情報に対応付けられた前記識別情報とを前記移動体端末に送信することを特徴とする広告情報処理装置。
【請求項１１】
サーバによって、移動体端末から当該移動体端末の識別情報と当該移動体端末の現在位置情報とを受信する受信工程と、
前記サーバによって、前記広告情報を蓄積した広告情報データベースから、前記現在位置情報に基づいて前記移動体端末に対して送信する前記広告情報を選択する選択工程と、
前記サーバによって、前記選択工程により選択された前記広告情報を送信する送信工程と、を備え、
前記選択工程は、前記識別情報に応じて、前記広告情報を選択することを特徴とする広告情報処理方法。
【請求項１２】
サーバによって、移動体端末から当該移動体端末の識別情報と当該移動体端末の現在位置情報とを受信する受信工程と、
前記サーバによって、前記広告情報を蓄積した広告情報データベースから、前記現在位置情報に基づいて前記移動体端末に対して送信する前記広告情報を選択する選択工程と、
前記サーバによって、前記選択工程により選択された前記広告情報を送信する送信工程と、を備え、
前記広告情報データベースは、前記広告情報を、広告主が設定した前記識別情報と対応付けて蓄積するものであり、
前記送信工程は、前記広告情報と当該広告情報に対応付けられた前記識別情報とを前記移動体端末に送信することを特徴とする広告情報処理方法。
【発明の詳細な説明】
【０００１】
【発明の属する技術分野】
本発明は、情報通信を利用した広告の配信技術に関するものである。
【０００２】
【従来の技術】
携帯型電話機や通信機能を有するカーナビゲーションシステム等の移動体端末に各種広告を表示させる技術として、予め地図情報に広告情報を埋め込んで各種記憶装置に記憶しておき、地図情報と共に広告情報を表示させる技術が提案されている。しかし、この技術ではこれらの情報を記憶する記憶装置として比較的大容量のものが要求される他、情報の更新に不便であり、最新の広告をユーザに提供することができない。
【０００３】
このような問題を解決するものとして、例えば、特許文献１乃至３には、移動体端末から送信される現在位置情報に応じてリアルタイムで広告情報を配信する技術が提案されている。この技術によれば、例えば、移動体端末の位置の近傍の店舗等の広告が選択されて配信されるため、予め広告情報を記憶しておく場合よりも必要な記憶容量が大幅に削減されると共に最新の広告を配信できる他、リアルタイムで広告が配信されるため、絶大な宣伝効果が期待できる。
【０００４】
更に、この広告配信の技術は、一般に広告活動に対して消極的である個人経営の商店、食堂といった小規模事業者が積極的に広告を配信する機会を与え得るものと言える。すなわち、小規模事業者が広告活動をする手段としては紙の広告を近隣の地域に配布することが挙げられるが、そもそも紙の広告は宣伝効果が必ずしも高くはない。宣伝効果を挙げようとすれば、新聞の折込広告や雑誌上の広告等の場合のように、広告の発行部数を膨大に増やすと共に配布地域を広範にすることが必要となるが、そのコストが膨大となり大規模事業者でなければ現実的ではない。
【０００５】
この点、上述した配信技術によれば、移動体端末の位置の近傍の店舗等の広告が選択されて配信されるため、広告の提供タイミングとして最適であり、広告効果が極めて高いことに加え、電子データによる広告であるため、紙の広告の場合のように紙代・印刷代等に費やす費用が不要であり、広告に要する費用も大幅に削減され得る。従って、小規模事業者が手軽に広告活動を展開する手段として今後益々発展することが予想される。
【０００６】
【特許文献１】特開平１０−３００４９０号公報
【特許文献２】特開２００２−３６６８４３号公報
【特許文献３】特開２００３−１６３４８号公報
【０００７】
【発明が解決しようとする課題】
しかし、移動体端末の現在位置情報に基づき、その周辺の店舗等の広告をリアルタイム配信すると絶大な宣伝効果が期待できる反面、移動体端末が繁華街等に存在する場合、広告主の店舗等の数も多数にのぼり、配信される広告も膨大となり得る。従って、全ての広告を一律に各移動体端末に配信すると、広告の提供を受けるユーザにとって不要な広告が多くなり必ずしもユーザにとって有益ではない。また、広告主としては常連の客や得意先の客に対しては、一般客に優先して提供したい広告がある場合もある。
【０００８】
従って、本発明の目的は、広告の提供を受ける者に個別に対応した広告を提供し得る広告情報処理装置及び広告情報処理方法を提供することにある。
【０００９】
【課題を解決するための手段】
本発明によれば、移動体端末から当該移動体端末の識別情報と当該移動体端末の現在位置情報とを受信する一方、当該移動体端末に対して広告情報を送信する通信手段と、前記広告情報を蓄積した広告情報データベースから、前記現在位置情報に基づいて前記移動体端末に対して送信する前記広告情報を選択する選択手段と、を備え、前記選択手段は、前記識別情報に応じて、前記広告情報を選択することを特徴とする広告情報処理装置が提供される。
【００１０】
この広告情報処理装置では、送信される広告情報が、移動体端末の識別情報に応じて選択される。このため、全ての広告情報が一律に各移動体端末に配信されることがなく、その移動体端末のユーザ、すなわち広告の提供を受ける者に個別に対応した広告を提供することが可能となる。
【００１１】
本発明においては、前記広告情報データベースは、前記広告情報を、広告主が設定した前記識別情報と対応付けて蓄積するものであり、前記選択手段は、少なくとも、前記移動体端末から受信した前記識別情報に対応づけられた前記広告情報を選択することもできる。このような構成により、広告主は自己の広告情報について常連客等の特定の者の移動体端末の識別情報を設定することで、その常連客等に対して効率的に広告を配信することができる。
【００１２】
この場合、前記選択手段は、前記移動体端末から受信した前記識別情報が対応づけられていない前記広告情報を選択しないこともできる。このような構成により、広告主は常連客等の特定の者に、特別な広告を配信することができる。
【００１３】
また、この場合、前記通信手段は、前記広告情報の広告主の端末と通信可能であり、前記広告主の端末から前記識別情報の設定要求を受信した場合に、指定された前記識別情報に基づいて前記広告情報データベースを更新する更新手段を更に備えてもよい。このような構成により、広告主は自己の広告情報に対応付ける識別情報を簡易に変更できる。
【００１４】
また、本発明においては、前記広告情報データベースは、前記広告情報を、その広告の対象の種類と対応付けて蓄積するものであり、前記選択手段は、前記識別情報を、当該識別情報が付された前記移動体端末のユーザの嗜好を示す嗜好情報と対応付けて蓄積した移動体端末データベースから、前記移動体端末から受信した前記識別情報と対応付けられた前記嗜好情報を取得し、取得した前記嗜好情報と前記広告の対象の種類と、に基づいて前記広告情報を選択することもできる。このような構成により、広告の提供を受ける者の嗜好にあった広告情報を配信することができる。
【００１５】
この場合、前記通信手段は、前記広告情報の広告主の端末と通信可能であり、前記広告主の端末から前記広告情報の登録要求を受信した場合に、指定された前記広告の対象の種類と前記広告情報とを対応付けて前記広告情報データベースに蓄積する登録手段を更に備えてもよい。このような構成により、広告主は自己の広告情報に対応付ける広告の対象の種類の情報を簡易に設定できる。
【００１６】
また、この場合、前記移動体端末から、広告の対象の種類が指定された前記広告情報の取得要求を前記通信手段が受信した場合、前記選択手段は、前記広告情報データベースから、指定された種類の前記広告情報を選択し、前記通信手段は、前記選択手段により選択された前記広告情報を前記移動体端末に送信することもできる。このような構成により、移動体端末のユーザは、その時に欲しい種類の広告情報を簡易に得ることができる。
【００１７】
また、本発明においては、前記移動体端末に送信した前記広告情報と同じ広告主の別の前記広告情報の取得要求を前記通信手段が受信した場合、前記選択手段は、前記広告情報データベースから、前記広告主の別の前記広告情報を選択し、前記通信手段は、前記選択手段により選択された別の前記広告情報を前記移動体端末に送信することもできる。この構成により、移動体端末のユーザは、同じ広告主の別の広告情報を簡易に得ることができる。
【００１８】
また、本発明においては、前記通信手段は、前記現在位置情報に基づき選択された地図情報と共に前記広告情報を送信することもできる。このような構成により、移動体端末において地図情報を有する必要性が軽減され、例えば、その記憶容量を削減できると共に最新の地図情報を提供し得る。
【００１９】
また、本発明によれば、移動体端末から当該移動体端末の識別情報と当該移動体端末の現在位置情報とを受信する一方、当該移動体端末に対して広告情報を送信する通信手段と、前記広告情報を蓄積した広告情報データベースから、前記現在位置情報に基づいて前記移動体端末に対して送信する前記広告情報を選択する選択手段と、を備え、前記広告情報データベースは、前記広告情報を、広告主が設定した前記識別情報と対応付けて蓄積するものであり、前記通信手段は、前記広告情報と当該広告情報に対応付けられた前記識別情報とを前記移動体端末に送信することもできる。
【００２０】
この広告情報処理装置では、広告情報と共に広告主が設定した識別情報とが移動体端末に送信される。このため、これらを受信した移動体端末において、例えば、自己の移動体端末の識別情報と受信した識別情報とが一致しない場合に、その広告情報の出力を制限するといった出力制御が可能となる。従って、移動体端末に対して広告情報が配信されてしまうが、その広告情報に設定された識別情報により、当該移動体端末においてその出力制御が可能であるため、その移動体端末のユーザ、すなわち広告の提供を受ける者に個別に対応した広告を実質的に提供することが可能となる。
【００２１】
また、本発明によれば、サーバによって、移動体端末から当該移動体端末の識別情報と当該移動体端末の現在位置情報とを受信する受信工程と、前記サーバによって、前記広告情報を蓄積した広告情報データベースから、前記現在位置情報に基づいて前記移動体端末に対して送信する前記広告情報を選択する選択工程と、前記サーバによって、前記選択工程により選択された前記広告情報を送信する送信工程と、を備え、前記選択工程は、前記識別情報に応じて、前記広告情報を選択することを特徴とする広告情報処理方法が提供される。
【００２２】
この広告情報処理方法では、送信される広告情報が、移動体端末の識別情報に応じて選択される。このため、全ての広告情報が一律に各移動体端末に配信されることがなく、その移動体端末のユーザ、すなわち広告の提供を受ける者に個別に対応した広告を提供することが可能となる。
【００２３】
また、本発明によれば、サーバによって、移動体端末から当該移動体端末の識別情報と当該移動体端末の現在位置情報とを受信する受信工程と、前記サーバによって、前記広告情報を蓄積した広告情報データベースから、前記現在位置情報に基づいて前記移動体端末に対して送信する前記広告情報を選択する選択工程と、前記サーバによって、前記選択工程により選択された前記広告情報を送信する送信工程と、を備え、前記広告情報データベースは、前記広告情報を、広告主が設定した前記識別情報と対応付けて蓄積するものであり、前記送信工程は、前記広告情報と当該広告情報に対応付けられた前記識別情報とを前記移動体端末に送信することを特徴とする広告情報処理方法が提供される。
【００２４】
この広告情報処理方法では、広告情報と共に広告主が設定した識別情報とが移動体端末に送信される。このため、これらを受信した移動体端末において、例えば、自己の移動体端末の識別情報と受信した識別情報とが一致しない場合に、その広告情報の出力を制限するといった出力制御が可能となる。従って、移動体端末に対して広告情報が配信されてしまうが、その広告情報に設定された識別情報により、当該移動体端末においてその出力制御が可能であるため、その移動体端末のユーザ、すなわち広告の提供を受ける者に個別に対応した広告を実質的に提供することが可能となる。
【００２５】
【発明の実施の形態】
以下、本発明の好適な実施の形態について図面を参照して説明する。図１は本発明を適用した広告配信システムの例を示す構成図である。このシステムは、本発明の一実施形態に係る広告情報処理装置として機能し、広告情報を配信するサーバＡと、広告主の端末Ｂと、車両に搭載された移動体端末であって、広告情報の配信を受ける車載端末Ｃと、から構成されている。車載端末ＣはＧＰＳ（ｇｌｏｂａｌ  ｐｏｓｉｔｉｏｎｉｎｇ  ｓｙｓｔｅｍ）の衛星からの電波により現在位置を検出し、主としてカーナビゲーションシステムとして機能するものである。
【００２６】
なお、本実施形態では広告情報の配信を受ける移動体端末として車載端末を挙げるが、携帯型電話機等、他の移動体端末についても本発明は適用可能である。また、図１では、説明の便宜上、広告主の端末Ｂ及び車載端末Ｃをそれぞれ１つずつ図示しているが、実際にはこれらが複数存在することになる。
【００２７】
本実施形態において、サーバＡと広告主の端末Ｂ及び車載端末Ｃとはインターネット等のネットワークを介して情報通信が可能とされており、特に、車載端末Ｃは無線通信網を介してサーバＡと情報通信が可能に構成されている。これらの構成について、まず、広告主の端末Ｂは、例えば、情報通信機能及びブラウザ機能を有するパソコンが挙げられる。
【００２８】
次に、図２を参照して車載端末Ｃの構成について説明する。図２は車載端末Ｃの構成例を示すブロック図である。ＣＰＵ１０１は車載端末Ｃ全体の制御を司るプロセッサであり、特に後述する処理を実行する。ＲＯＭ（リードオンリメモリ）１０２は基本プログラムの他、固定的なデータを記憶するメモリである。ＲＡＭ（ランダムアクセスメモリ）１０３はＣＰＵ１０１によって処理されるプログラムのワークエリアを有し、可変データ等を記憶する。これらのＲＯＭ１０２及びＲＡＭ１０３としては、他の記憶手段を採用してもよいことはいうまでもない。
【００２９】
ＨＤＤ（ハードディスクドライブ）１０４は、カーナビゲーションのプログラムや後述する処理のプログラム、或いは、サーバＡから送信された情報等を記憶する。ディスプレイ１０６は地図情報や広告情報等の各種情報を表示出力する表示器であり、ディスプレイコントローラ１０５を介してＣＰＵ１０１に接続されており、ＣＰＵ１０１の命令により各種情報を表示する。音声出力回路１０７はスピーカ１０８を介して車両の乗員に合成音声等の音声により各種情報を提供するものであり、広告情報の音声出力も可能である。時計ＩＣ１０９は日付及び現在時刻を計測する回路である。インターフェース１１０は、ＣＰＵ１０１と以下に述べる各デバイスとの間における情報の入力又は出力を中継するものであり、各デバイスの種類に応じて一又は複数設けられる。
【００３０】
ＧＰＳセンサ１１１は、人工衛星から発信される電波を受信して自車両の現在位置（緯度、経度）を検出する位置検出センサであり、インターフェース１１０を介してＣＰＵ１０１に現在位置情報を提供する。車速センサ１１２は、自車両の走行速度を検出する速度検出センサであり、インターフェース１１０を介してＣＰＵ１０１に自車両の走行速度を提供する。方位センサ１１３は自車両の移動方向を検出するセンサであり、インターフェース１１０を介してＣＰＵ１０１にその検出結果を提供する。この方位センサ１１３としては例えば地磁気センサを挙げることができる。これらの各センサは主としてカーナビゲーション機能を実現するために用いられる。
【００３１】
入力装置１１４は車両の乗員が車載端末Ｃに対する指示や情報の入力を行う装置であり、例えば、複数のボタンスイッチからなる。また、入力装置１１４を音声入力装置として構成してもよい。通信装置１１５は無線によりサーバＡと双方向で情報通信を行うための装置である。
【００３２】
以上が車載端末Ｃの構成であるが、本実施形態ではカーナビゲーションシステムに用いる地図情報を固定的に記憶するように構成していない。これは、本実施形態では地図情報もサーバＡから車載端末Ｃへ配信することを想定しているからである。尤も、地図情報の配信は通信網に対する負担が大きいため、従来のカーナビゲーションシステムと同様に地図情報を記憶する手段を設けてもよい。この場合、サーバＡからは地図情報の差分情報（例えば、新たに更新された地図情報のみ）を配信するようにしてもよい。
【００３３】
次に、図３を参照してサーバＡの構成について説明する。図３はサーバＡの構成例を示すブロック図である。サーバＡは情報通信機能を有する一般的なサーバコンピュータのハードウエア構成と基本的に同様のものを採用することができる。ＣＰＵ２０１はサーバＡ全体の制御を司るプロセッサであり、特に後述する処理を実行する。ＲＯＭ（リードオンリメモリ）２０２は基本プログラムの他、固定的なデータを記憶するメモリである。ＲＡＭ（ランダムアクセスメモリ）２０３はＣＰＵ２０１によって処理されるプログラムのワークエリアを有し、可変データ等を記憶する。
【００３４】
ＨＤＤ（ハードディスクドライブ）１０４は、後述する処理のプログラム等を記憶する。通信装置２０５は広告主の端末Ｂや車載端末Ｃとネットワークを介して双方向で情報通信を行うための装置である。時計ＩＣ１０９は日付及び現在時刻を計測する回路である。
【００３５】
次に、サーバＡは以下に説明する各データベースを有する。これらのデータベースは例えばハードディスク等の記憶手段に構築される。各データベースが構築された記憶手段はサーバＡがアクセス可能であればどのように配設されていてもよく、サーバＡ自体のハードウエア構成にこれを含めてもよいし、サーバＡの外部のハードウエアに含まれていてもよい。
【００３６】
地図情報ＤＢ（データベース）２０７には、車載端末Ｃのカーナビゲーション機能に用いる地図情報が蓄積されている。本実施形態においてサーバＡは車載端末Ｃから送信される現在位置情報に応じた一定のエリアの地図情報を車載端末Ｃへ提供する。従って、地図情報ＤＢ２０７は例えば一定のエリア単位で地図情報を蓄積している。
【００３７】
広告情報ＤＢ２０８には車載端末Ｃへ送信される広告情報が蓄積されている。尤も各広告情報の中の全ての情報が必ずしも車載端末Ｃへ送信されるわけではなく、以下に述べる各情報の中から車載端末Ｃにおいて広告を出力するのに必要な情報が車載端末Ｃへ送信されることになる。各広告情報は主として広告主が登録したものであり、この登録は例えば広告主の端末Ｂからオンラインで行うことができる。図４（ａ）は広告情報ＤＢ２０８に蓄積された広告情報の例を示す図である。本実施形態では各広告情報をテーブル形式で個別に管理しており、以下に例示する各情報が相互に対応づけて蓄積される。
【００３８】
「広告ＩＤ」は各広告情報を特定するための識別子である。「広告主ＩＤ」は広告配信の依頼者である広告主を特定するための情報である。「広告主の名称」は広告主の名称である。「広告対象の事業所の所在地」とは、その広告情報の対象となる事業所の所在位置を示す情報であり、その緯度と経度とを示す情報である。事業所としては、例えば、その広告主が経営する飲食店や販売店等の各種店舗、体育館や美術館或いは公園等の各種施設、駐車場等が挙げられる。
【００３９】
「事業の種類」は広告情報の対象である事業の種類を示す情報である。「配信日」は広告主が希望する広告情報の配信の日である。「配信時間帯」は広告主が希望する広告情報の配信の時間帯である。通常、広告情報はこの配信日時において車載端末Ｃから出力される。この場合、配信日時外であってもサーバＡから車載端末Ｃに対する広告情報の配信自体は行っておき、車載端末Ｃ側で配信日時に該当する場合にのみこれが出力されるようにしてもよいし、また、配信日時に該当しない場合にはサーバＡから車載端末Ｃに対する広告情報の配信自体を行わないようにすることもできる。
【００４０】
「広告情報のコンテンツ」とは、車載端末Ｃから出力される広告の内容を示す情報である。本実施形態の場合、この広告の内容が車載端末Ｃのディスプレイ１０６上に文字で表示される場合を想定している。しかしながら、例えば、スピーカ１０８から合成音声により音声出力するようにしてもよい。「広告の対象」とは、その広告情報の広告の対象の種類を示す情報であり、広告の提供を受けるユーザ（本実施形態の場合は車両の乗員となる）の嗜好に応じて配信する広告情報を選択するための情報である。本実施形態の場合、広告主により設定される。
【００４１】
本実施形態の場合、この「広告の対象」は、いくつかのジャンル毎に上位、中位、下位の概念で階層的に設定されており、上位の概念としては、例えば、飲食、スポーツといった各ジャンルが挙げられる、中位の概念としては、例えば飲食の場合、和食、洋食、中華といった各種類が挙げられる。また、下位の概念としては、和食であれば麺類、寿司、てんぷら等が挙げられる。図４（ａ）の例の場合、「メイン」が上位の概念を示し、「サブ」が中位と下位の概念を示している。
【００４２】
「配信対象」には、広告情報の配信先に関する情報が蓄積される。「配信先指定」には、その広告情報について配信先のユーザを指定するか否かが蓄積される。「指定配信先」には、配信先を指定する場合にそのユーザの車載端末Ｃの識別情報（後述する端末ＩＤ）が蓄積される。ここに蓄積された端末ＩＤの車載端末Ｃには原則としてその広告情報が配信されることになる。「配信先限定」には、指定した端末ＩＤの車載端末Ｃにのみ配信するか否かが蓄積される。「配信先限定」が「あり」の場合、指定された端末ＩＤ以外の車載端末Ｃにはその広告情報が配信されないことになる。「その他」には、任意的な情報が蓄積される。
【００４３】
次に、移動体端末情報ＤＢ２０９には、各移動体端末に関する情報が蓄積されている。図４（ｂ）は移動体端末情報ＤＢ２０９に蓄積された情報の例を示す図である。「端末ＩＤ」は、その移動体端末を識別する識別情報である。「ユーザ名」はその移動体端末のユーザであり、広告の提供を受ける者である。嗜好情報は、そのユーザの嗜好を示す情報であり、ユーザが本実施形態の広告配信サービスを申し込む際又は自己の移動体端末からオンライン等で設定することができる。
【００４４】
嗜好情報は、上述した広告情報ＤＢ２０８の「広告の対象」と同様の構成になっている。図の例では、「メイン」でスポーツが設定されている。また、「サブ」で和食、パソコンが設定されている。この場合、「メイン」で設定されたスポーツについては、スポーツ全般に関する広告の配信を希望していることになり、その下位の概念を全て包含する。「サブ」で設定された「和食」、「パソコン」については、「和食」及び「パソコン」の下位の概念は全て包含するが、その上位の概念は包含しない。例えば、「和食」の上位の概念が「飲食」である場合、「飲食」に包含される他の概念（例えば、中華等）は嗜好していない（広告の配信を希望していない）ことになる。
【００４５】
＜広告情報の登録・更新処理＞
次に、広告主が広告情報を登録・更新する場合の処理について説明する。広告情報の登録や更新はオフラインでも可能であるが、本実施形態では広告主の端末Ｂを用いてオンラインにより行う。図５は広告主の端末Ｂにより広告情報の登録・更新を行う場合の処理の例を示すフローチャートである。まず、広告主は自己の端末Ｂにより、Ｓ１１においてサーバＡがネットワーク上で提供しているＷｅｂページにアクセスする。サーバＡはこれに対応してＳ１において広告主の端末Ｂに対して、情報の入力又は選択のための表示画面のデータを送信する。広告主の端末Ｂのディスプレイには受信した表示画面のデータに基づく表示がなされる。
【００４６】
広告主は、端末Ｂのディスプレイに表示された画面上で情報を入力する。入力後、Ｓ１２において入力された情報が新規登録設定要求又は更新設定要求としてサーバＡへ送信される。これを受信したサーバＡでは、広告情報ＤＢ２０８の内容を更新する。広告情報の新規の登録の場合、新たなテーブルが作成され、既登録の広告情報の更新の場合、その広告情報のテーブルの内容が変更される。
【００４７】
図６は広告主の端末Ｂのディスプレイに表示される画面の表示例を示す図であり、新規に広告情報を登録する場合の表示例を段階的に示したものである。画面３００は初期画面を示しており、広告情報の新規登録を行うための「広告情報登録」ボタンと、登録済みの広告情報の更新を指示するための「広告情報更新」ボタンとが表示されている。「広告情報登録」ボタンを選択すると、広告情報の新規登録となり、画面３０１が表示される。
【００４８】
画面３０１は、「広告主ＩＤ」、新規に登録する広告情報の「配信日」及び「配信時間」を設定する画面である。「広告主ＩＤ」は広告主が本実施形態の広告配信サービスを申し込んだ際に付与される広告主を特定するための情報であり、広告主は自己のＩＤを入力する。「配信日」及び「配信時間帯」は、それぞれ広告情報ＤＢ２０８の「配信日」及び「配信時間帯」に対応する情報であり、広告主は希望する日（又は期間）及び時間帯を入力する。入力後、「次へ」ボタンを選択すると画面３０２が表示される。
【００４９】
画面３０２は、広告情報のコンテンツを入力する画面であり、広告主は「メッセージ」に希望の広告を入力する。「メッセージ」は広告情報ＤＢ２０８の「広告情報のコンテンツ」に対応する。「次へ」ボタンを選択すると画面３０３が表示される。画面３０３は配信先に関する設定を行う画面である。「配信先指定」、「配信先限定」及び「配信先ＩＤ」は、それぞれ広告情報ＤＢ２０８の「配信対象」の「配信先指定」、「配信先限定」及び「端末ＩＤ」に対応する。
【００５０】
広告主は、自己の広告が少なくとも特定のユーザに配信されることを希望する場合には、まず、「配信先指定」において「指定する」を選択する。そして、「配信先ＩＤ」に各ユーザの端末ＩＤを列挙して入力する。この場合、広告主は各ユーザの端末ＩＤを知っておく必要があるが、これは、例えば、自己の事業所に来訪したユーザから端末ＩＤを聞いておくか、或いは、サーバＡの管理者から端末ＩＤを教えてもらうといったことが挙げられる。次に、自己の広告がそのユーザのみに配信され、他のユーザに配信されないことを希望する場合には、「配信先限定」において「限定する」を選択する。例えば、得意先のユーザにのみ自己の広告が配信されることを希望する場合に選択されよう。その後、「次へ」ボタンを選択すると、画面３０４が表示される。
【００５１】
画面３０４は広告の対象の種類に関する設定である。図の例では上位の概念として「飲食」が、中位の概念として「中華」が、下位の概念として「麺類」、「飲茶」、「炒めもの」、「飯類」、「餃子」がそれぞれ表示されている。各項目毎に設けられたチェックボックスをチェックすることでその項目が選択されたことになる。広告主が、別の上位の概念を選択したい場合は「別のグループへ」ボタンを、同じ上位の概念の他の中位・下位の概念を選択したい場合は「別サブグループへ」ボタンを、それぞれ選択する。その後、「次へ」ボタンを選択すると、画面３０５が表示される。
【００５２】
画面３０５は入力・選択した情報により広告情報を新規に登録するかを確認する画面である。「登録」ボタンを選択すると、これまでに入力した情報が新規登録設定要求としてサーバＡに送信される（Ｓ１２）。特に図示しないが、この後、サーバＡから新規に登録した広告情報の広告ＩＤが返送され、端末Ｂにおいて表示、格納等される。また、「登録後別の広告」ボタンを選択すると、これまでに入力した情報が新規登録設定要求としてサーバＡに送信されると共に、画面３０１へ戻り、別の広告情報についての登録処理を行うことができる。すなわち、本実施形態では一人の広告主が、異なる複数の広告情報を登録することができる。
【００５３】
次に、図７は広告主の端末Ｂのディスプレイに表示される画面の表示例を示す図であり、既登録の広告情報を更新する場合の表示例を段階的に示したものである。初期画面である画面３００で「広告情報更新」ボタンを選択すると、広告情報の更新となり、画面３１１が表示される。
【００５４】
画面３１１は、「広告主ＩＤ」と更新する広告情報の「広告ＩＤ」を入力する。入力後、「次へ」ボタンを選択し、これらが正しい情報の場合、画面３１２が表示される。
【００５５】
画面３１２は、更新する情報を選択するための画面であり、現在設定されている情報も併せて表示される。この情報は、サーバＡが画面３１２のフォームデータを端末Ｂへ送信する際、広告情報ＤＢ２０８から取得され、フォームデータに埋め込まれる。広告主は更新したい情報のチェックボックスをチェックし、「次へ」ボタンを選択する。画面３１３は、配信先の設定を変更することが選択された場合に表示される画面例である。
【００５６】
画面３１３は、上述した図６の画面３０３と同様の構成の画面であり、まず、現在設定されている情報が表示され、広告主は任意に情報を変更することができる。同図の例では、「配信先限定」が「限定しない」に変更されている。例えば、最初のうちは得意先にだけ優先的に広告を配信し、その後、他の者にも広告の配信を希望する場合にこのような変更が考えられる。また、図には示さないが、「配信先ＩＤ」の端末ＩＤを追加する変更を行うことで、広告を見て来訪した者やたまたま来訪した者の端末ＩＤを聞いた広告主が、これらの者を広告配信の指定対象者に加えることができる。その後、「次へ」ボタンを選択すると、画面３１４が表示される。
【００５７】
画面３０５は入力・選択した情報により広告情報を更新するかを確認する画面である。「更新」ボタンを選択すると、これまでに入力した情報が更新設定要求としてサーバＡに送信される（Ｓ１２）。このように、本実施形態ではオンラインで簡易に広告情報の登録、更新を行うことができる。
【００５８】
＜地図情報・広告情報の配信＞
次に、サーバＡから車載端末Ｃへの情報の配信に関する処理について説明する。図８はサーバＡから車載端末Ｃへ地図情報及び広告情報を配信する場合の処理の例を示すフローチャートである。まず、Ｓ２１において車載端末ＣがＧＰＳセンサ１１１で検出した現在位置情報をその車載端末Ｃの端末ＩＤと共にサーバＡへ送信する。この処理は適当なタイミングで周期的に行うことができる。
【００５９】
現在位置情報及び端末ＩＤを受信したサーバＡではＳ３１において、受信した現在位置情報に基づいて地図情報を選択する処理を行う。地図情報は、例えば、地図情報ＤＢ２０７から、受信した現在位置情報に示された位置から一定のエリアの地図情報を選択することができる。
【００６０】
次に、サーバＡはＳ３２において広告情報を選択する処理を行う。図８（ｂ）はその処理の例を示すフローチャートである。Ｓ４１では、まず、受信した現在位置情報に基づいて広告情報を選択する。ここでは、例えば、広告情報ＤＢ２０８の「広告対象の事業所の所在地」に蓄積された情報に基づいて、受信した現在位置情報に示された位置から一定のエリア内に事業所が存在する広告主の広告情報を選択することができる。また、選択した地図情報のエリア内に事業所が存在する広告主の広告情報を選択するようにしてもよい。なお、広告情報の選択にあたり、現在の日時が、広告情報ＤＢ２０８の「配信日」及び「配信時間帯」に該当しない広告情報は選択しないようにすることもできるが、選択するようにしたとしても、その「配信日」及び「配信時間帯」に該当しない広告情報を車載端末Ｃ側で出力しないようにすることで対応可能である。
【００６１】
次に、Ｓ４２以下ではＳ４１で選択された広告情報の絞り込みを行う。絞り込むことで、車載端末Ｃのユーザに提供される広告情報が過剰とならないようにする。まず、Ｓ４２では、Ｓ４１で選択された広告情報のいずれか一つを選択し、選択した広告情報について広告情報ＤＢ２０８の広告の対象の情報とを取得すると共に、受信した端末ＩＤについて移動体端末情報ＤＢ２０９の嗜好情報を取得し両者をマッチングする。嗜好情報と広告の対象の種類とが合致する場合はＳ４４へ進み、そうでない場合はＳ４３へ進む。
【００６２】
Ｓ４３では、その広告情報について広告情報ＤＢ２０８の配信対象の情報を取得し、「配信先指定」が「あり」で、かつ、受信した端末ＩＤが「指定配信先」に列挙されたものであれば、Ｓ４５へ進み、そうでなければＳ４４へ進む。Ｓ４４では、その広告情報を車載端末Ｃへの送信対象からキャンセルしてＳ４８へ進む。「指定配信先」として指定されている車載端末Ｃについては、そのユーザの嗜好に合致しない広告情報であっても、広告主の希望を尊重して送信対象に含める趣旨であり、合理的な範囲での広告情報の絞り込みとなる。
【００６３】
次に、Ｓ４５では、その広告情報について広告情報ＤＢ２０８の配信対象の情報を取得し、「配信先限定」が「あり」か否かを判定する。「あり」であればＳ４６へ進み、そうでない場合はＳ４８へ進む。Ｓ４６では、受信した端末ＩＤが「指定配信先」に列挙されたものか否かを判定する。列挙されていた場合はＳ４８へ進み、そうでない場合はその広告情報を車載端末Ｃへの送信対象からキャンセルしてＳ４８へ進む。「配信先限定」が「あり」の場合は、設定された配信先のみに広告が配信されることを広告主が希望しているため、その他の配信先には配信しない趣旨である。
【００６４】
Ｓ４８では、Ｓ４１で選択した全ての広告情報についてＳ４２以下の処理が行われたか否かを判定し、行われていない場合は残りの広告情報の中から一つ選択してＳ４２へ戻り上述した処理を繰り返す。全て処理済みの場合は処理を終了する。最終的に残った広告情報が車載端末Ｃに送信される広告情報として選択されたことになる。
【００６５】
図８（ａ）に戻り、サーバＡではＳ３２で選択した地図情報及び広告情報から、Ｓ３３において車載端末Ｃへ送信する情報を作成する。ここでは、選択した地図情報中に選択した広告情報を埋め込んだ情報を作成する。続いてＳ３４ではＳ３３で作成した情報を、現在位置情報を受信した車載端末Ｃに対して送信する。車載端末ＣではサーバＡから送信された情報を受信してＳ２においてＨＤＤ１０４に格納する。格納された地図情報はカーナビゲーションシステムに用いられる。また、格納された広告情報は、広告情報を出力するタイミングが到来した場合に出力される。広告情報を出力するタイミングとしては、車載端末Ｃが搭載された車両の乗員が指示した場合や当該車両がその広告の対象となる事業所の近傍に到達した場合、或いは、時間の経過を基準とする場合を挙げることができる。
【００６６】
なお、本実施形態では車両の現在位置情報に基づいて地図情報及び広告情報を選択しているが、車載端末Ｃのカーナビゲーション機能において目的地が設定されている場合には、この目的地の情報も車載端末ＣからサーバＡに送信し、この目的地にも対応するようにサーバＡにおいて地図情報や広告情報を選択するようにしてもよい。
【００６７】
＜広告情報の出力例＞
図９（ａ）及び（ｂ）は、車載端末Ｃによる広告情報の出力例を示す図である。本実施形態ではディスプレイ１０６に広告情報のコンテンツを表示する。図９（ａ）の例では、地図情報と共に３つの広告情報（コンテンツ）１０６ａ乃至１０６ｃが許可されて表示されている。これらの広告情報１０６ａ乃至１０６ｃは図４（ａ）に示した「広告情報のコンテンツ」に蓄積された情報に対応している。また、その車載端末Ｃの端末ＩＤが「指定配信先」である広告情報については、例えば、広告情報１０６ａに示すように強調表示をすることで、より目立つようにしてもよい。
【００６８】
ちなみに、例えば、図９（ａ）の広告情報１０６ａについて「配信先限定」が「あり」に設定されており、かつ、車載端末Ｃの端末ＩＤが「指定配信先」に含まれていなかった場合には、広告情報１０６ａが配信されないので図９（ｂ）の表示例に示すように広告情報１０６ａが表示されないことになる。
【００６９】
＜広告情報配信の変形例＞
次に、サーバＡから車載端末Ｃに対する広告情報の配信の他の例について説明する。図９（ａ）及び（ｂ）のように広告情報が表示された場合に、ユーザ（乗員）が気に入った広告情報がなく、他の広告情報を見たい場合も考えられる。また、ユーザの基本的な嗜好は嗜好情報として移動体端末情報ＤＢ２０９に格納され、これに基づき広告情報の選択が行われるが、ある日、ある時に限ってユーザの嗜好が変わる場合もあり得る。例えば、基本的には和食が好きであるが、たまに洋食が食べたいという場合である。本例では、このようなユーザに対応するものである。
【００７０】
図１０（ａ）は本例の車載端末Ｃによる広告情報の出力例を示す図である。図１０（ａ）は表示されている広告情報は図９（ａ）と同じだが広告情報１０６ａ及び１０６ｂには「別の広告を表示」ボタンが表示され、また、画面左下には「別の広告を検索」ボタンが表示されている。まず、前者の機能から説明する。
【００７１】
「別の広告を表示」ボタンは、その広告情報（図の１０６ａ及び１０６ｂ）の広告主が他の広告も提供していることを示す。そして、この「別の広告を表示」ボタンを選択すると、同じ広告主の別の広告情報が表示される。このような機能を持たせることで、ユーザは同じ広告主の別の広告情報を簡易に得られることになり、例えば、飲食店の広告について、その飲食店に行こうと思っているが広告のメニューではなく、別のメニューを知りたい場合に有益である。
【００７２】
この機能を実現する方法としては、図８（ａ）で説明した広告情報の送信時に、選択した広告情報と同じ広告主の広告情報を取得して車載端末Ｃに送信しておく場合と、同じ広告主の広告情報が存在することだけを送信しておいて「別の広告を表示」ボタンが選択された場合に車載端末ＣからサーバＡに対して、その広告情報の送信を要求する場合とが挙げられる。ここでは、後者の場合の処理を図１０（ｂ）を参照して説明する。図１０（ｂ）は車載端末Ｃから別の広告情報の取得を要求する場合の処理を示すフローチャートである。
【００７３】
Ｓ５１では、車載端末ＣがサーバＡに対して別の広告情報の取得要求を送信する。ここでは、その車載端末Ｃの端末ＩＤと「別の広告を表示」ボタンが選択された広告情報の広告主ＩＤ又は広告ＩＤ等、サーバＡにおいて広告主を特定できる情報とを送信する。これを受信したサーバＡではＳ６１において、同じ広告主の別の広告情報を広告情報ＤＢ２０８から選択して取得する。この選択においては、嗜好に関する絞り込み（図８（ｂ）のＳ４２）は行わない。「配信先限定」については原則として絞り込みを行うことが望ましい。その他、「配信日」、「配信時間帯」が現在の日時に合致しないものは選択しない。
【００７４】
次に、Ｓ６２ではＳ６１で選択された広告情報を車載端末Ｃへ送信する。車載端末ＣではサーバＡから送信された広告情報を受信してＳ５２においてＨＤＤ１０４に格納し、ディスプレイ１０６に表示する。例えば、ディスプレイ１０６には、同じ広告主の別の広告情報が先に表示されていた広告情報に代えて表示される。
【００７５】
次に、図１０（ａ）の「別の広告を検索」ボタンについて説明する。この「別の広告を検索」ボタンを選択すると、図１１（ａ）に示すようにユーザの嗜好を設定する画面がディスプレイ１０６に表示される。すなわち、一時的なユーザの嗜好情報を新たに作成し、その嗜好情報に応じた広告情報の配信をサーバＡに要求するのである。このような機能を持たせることで、上述したとおり、ユーザは、その時に欲しい種類の広告情報を簡易に得ることができる。
【００７６】
同図において、ユーザは欲しい広告情報の種類のチェックボックスをチェックする。欲しい広告情報の種類が画面上にない場合は「別のジャンル」ボタンを選択することで他の種類の選択画面が表示されることになる。そして、「広告を要求する」ボタンを選択すると、サーバＡに対して広告情報の取得要求がなされる。図１１（ｂ）は車載端末Ｃから別の広告情報の取得を要求する場合の処理の例を示すフローチャートである。
【００７７】
Ｓ７１では、車載端末ＣがサーバＡに対して、現在位置情報、端末ＩＤ及び別の種類の広告取得要求を送信する。ここでは、図１１（ａ）に示した表示画面で選択された広告情報の種類を、そのユーザの一時的な嗜好情報としてサーバＡに送信する。これを受信したサーバＡではＳ８１において、広告情報ＤＢ２０８から広告情報を選択する。ここでの処理は上述した図８（ｂ）の広告情報選択処理と同じ処理を採用できるが、Ｓ４２の処理では移動体端末情報ＤＢ２０９の嗜好情報を用いずに、車載端末Ｃから受信した一時的な嗜好情報を用いる。
【００７８】
Ｓ８２ではＳ８１で選択された広告情報を車載端末Ｃへ送信する。車載端末ＣではサーバＡから送信された広告情報を受信してＳ７２においてＨＤＤ１０４に格納し、ディスプレイ１０６に表示する。以上により処理が終了する。
【００７９】
＜他の実施形態＞
上記実施形態では、広告情報の選択処理に関し、その広告情報について配信先限定がある場合には、指定されていない端末ＩＤの車載端末Ｃについてその広告情報を送信の対象からキャンセルしたが、この判断を車載端末Ｃ側で行わせることもできる。すなわち、広告情報自体は車載端末Ｃに送信するが、車載端末Ｃにおいてその出力をしないようにすることもできる。
【００８０】
図１２は本実施形態の場合の車載端末Ｃにおける広告情報の出力処理の例を示すフローチャートである。この処理は広告情報を出力するタイミングが到来した場合に出力される。広告情報を出力するタイミングとしては、上述した通り、例えば、車載端末Ｃが搭載された車両の乗員が指示した場合や当該車両がその広告の対象となる事業所の近傍に到達した場合、或いは、時間の経過を基準とする場合を挙げることができる。
【００８１】
本実施形態の場合、前提として、サーバＡが以下の処理を行う。すなわち、上述した図８（ｂ）の広告情報選択処理について、サーバＡはＳ４５〜Ｓ４７の処理を行わず、その代わりに各広告情報について「配信先限定」及び「指定配信先」の情報を車載端末Ｃに送信する。そして、図１２において車載端末Ｃは、まず、出力する広告情報が「配信先限定」のものか否かを判定する（Ｓ９１）。「配信先限定」のものである場合、Ｓ９２へ進みその車載端末Ｃの端末ＩＤが「指定配信先」に列挙された端末ＩＤに一致するかを判定し、一致する場合はＳ９３へ進み、その広告情報を出力する。Ｓ９２で一致しない場合はＳ９３へ進まずに処理を終了してその広告情報を出力しない。
【００８２】
このように本実施形態では、車載端末Ｃに対して「配信先限定」のされた広告情報が配信されるが、その広告情報に設定された端末ＩＤにより、車載端末Ｃにおいて広告情報の出力制御を行うことで、ユーザに対応した広告を実質的に提供することが可能となる。
【００８３】
【発明の効果】
以上述べた通り、本発明によれば、広告の提供を受ける者に個別に対応した広告を提供することが可能となる。
【図面の簡単な説明】
【図１】本発明を適用した広告配信システムの例を示す構成図である。
【図２】車載端末Ｃの構成例を示すブロック図である。
【図３】サーバＡの構成例を示すブロック図である。
【図４】（ａ）は広告情報ＤＢ２０８に蓄積された広告情報の例を示す図、（ｂ）は移動体端末情報ＤＢ２０９に蓄積される情報の例を示す図である。
【図５】広告主の端末Ｂにより広告情報の登録・更新を行う場合の処理の例を示すフローチャートである。
【図６】広告情報の新規登録時に広告主の端末Ｂのディスプレイに表示される画面の表示例を示す図である。
【図７】広告情報の更新時に広告主の端末Ｂのディスプレイに表示される画面の表示例を示す図である。
【図８】（ａ）はサーバＡから車載端末Ｃへ地図情報及び広告情報を配信する場合の処理の例を示すフローチャート、（ｂ）は広告情報選択処理の例を示すフローチャートである。
【図９】（ａ）及び（ｂ）は、車載端末Ｃによる広告情報の出力例を示す図である。
【図１０】（ａ）は車載端末Ｃによる広告情報の他の出力例を示す図、（ｂ）は車載端末Ｃから別の広告情報の取得を要求する場合の処理の例を示すフローチャートである。
【図１１】（ａ）は一時的な嗜好情報を設定するための車載端末Ｃの表示例を示す図、（ｂ）は車載端末Ｃから別の広告情報の取得を要求する場合の処理の例を示すフローチャートである。
【図１２】車載端末Ｃによる広告情報の出力処理の例を示すフローチャートである。
【符号の説明】
Ａ  サーバ
Ｂ  広告主の端末
Ｃ  車載端末
【図１】
2005033464.tif 000003
【図２】
2005033464.tif 000004
【図３】
2005033464.tif 000005
【図４】
2005033464.tif 000006
【図５】
2005033464.tif 000007
【図６】
2005033464.tif 000008
【図７】
2005033464.tif 000009
【図８】
2005033464.tif 000010
【図９】
2005033464.tif 000011
【図１０】
2005033464.tif 000012
【図１１】
2005033464.tif 000013
【図１２】
2005033464.tif 000014